(57)【要約】【課題】微振動でも装飾片を前後左右に効果的に動かすことができるとともに、反り上がりによって宝石が上に向いてしまうことがないようにすることで、宝石が最大限に美しく輝くことを可能とした装身具用ペンダントを提供すること。【解決手段】  宝石が取り付けられた装飾片と、この装飾片を取り付ける装飾片取付部とチェーンが取り付けられるチェーン連結部とを備えた台座とを有する。装飾片は台座に点接触にて支持され、チェーン連結部は装飾片を吊設した際にこの装飾片が下側に傾かない位置に形成されるとともに、チェーン連結部の中心から頭部に向けた垂直方向の距離が、中心から背面に向けた水平方向の距離よりも長くなるように、頭部から背面が所定の角度で傾斜された形状である。【選択図】      図１
2006223394.tif 000002
【特許請求の範囲】
【請求項１】
宝石が取り付けられた装飾片と、この装飾片を取り付ける装飾片取付部とチェーンが取り付けられるチェーン連結部とを備えた台座とを有する装身具用ペンダントにおいて、
前記台座の装飾片取付部は前記装飾片を点接触にて支持する形状であることを特徴とする装身具用ペンダント。
【請求項２】
請求項１に記載の装身具用ペンダントにおいて、前記装飾片は前記台座の装飾片取付部に取り付けられる輪環を備え、この輪環の内周面は前記台座の装飾片取付部と点接触される形状であることを特徴とする装身具用ペンダント。
【請求項３】
宝石が取り付けられた装飾片と、この装飾片を取り付ける装飾片取付部とチェーンが取り付けられるチェーン連結部とを備えた台座とを有する装身具用ペンダントにおいて、
前記チェーン連結部はこれにチェーンを取り付けて前記装飾片を吊設した際にこの装飾片が下側に傾かない位置に形成され、
前記チェーン連結部の中心から頂部の表面までの距離が、中心から上側の背面までの距離よりも長くなるように、頭部から上側の背面が所定の角度で傾斜された形状であることを特徴とする装身具用ペンダント。
【請求項４】
請求項３に記載の装身具用ペンダントにおいて、前記台座の装飾片取付部は前記装飾片を点接触にて支持する形状であることを特徴とする装身具用ペンダント。
【請求項５】
宝石が取り付けられた装飾片と、この装飾片を取り付ける装飾片取付部を備えた台座とを有する装身具において、
前記台座の装飾片取付部は前記装飾片を点接触で支持する形状であることを特徴とする装身具。
【請求項６】
請求項５に記載の装身具において、前記装飾片は前記台座の装飾片取付部に取り付けられる輪環を備え、この輪環の内周面は前記台座の装飾片取付部と点接触される形状であることを特徴とする装身具。
【発明の詳細な説明】
【技術分野】
【０００１】
本発明は装身具、より具体的には宝石等を取り付けた装飾片を吊下げて形成する装身具用ペンダント等の装身具に関する。
【背景技術】
【０００２】
従来より装身具用ペンダントには、多種多様のものがあり、その形も様々であるが、通常、首に介装するためのネックレス用チェーンと、ダイヤモンド等の宝石を取り付けた装飾片からなり、輪環を介して装飾片をチェーンに吊下げるか、あるいはチェーンの両端を装飾片に直接固定するタイプがある。
【０００３】
例えば、図９は、装飾片１１２をネックレス用チェーン７０に吊下げた装飾用ペンダント１１０の使用例を横から見た状態を示したものである。図９に示すように装飾片１１２は、装飾片が概ね垂直の状態でそのままの方向に吊下げられたときにこれに取り付けられたダイヤモンド等の宝石が正面に向いている限りにおいては、美しく輝いて見えるものである。
【０００４】
一方、新しいタイプの装身具として、本願出願人は特願２００１−０８６４７１に記載した装身具用ペンダントを出願している。図１０および図１１は特願２００１−０８６４７１に記載した装身具用ペンダント１２０である。このようなペンダント１２０は、上方にペンダントチェーンが取り付けられるチェーン連結部１２３を備えた台座１２５の背面にテーパー状の定着部１２４を形成し、前面には先端に吊下孔１２８と後方に湾曲部１３０を設けた吊下部１３２が形成されている。吊下孔１２８は、係止環１４２により宝石１４４を取り付けた装飾片１４６を揺動可能に吊り下げるための孔である。
【０００５】
このような構造により、微振動でも装飾片１４６が前後左右に自由に揺れることができるとともに、前だけではなく後方からも宝石１４４に光が入射されるので、宝石１４４が理想的な光の反射を行うことができ、宝石１４４を美しく輝かせてみせることができる。
【発明の開示】
【発明が解決しようとする課題】
【０００６】
しかしながら、図１０および図１１に示された従来の装身具用ペンダント１２０では、台座１２５の吊下孔１２８に装飾片１４６の輪環１２９が面接触により支持されているため、微振動による装飾片１４６の揺れが少ないという問題があった。また、装飾片１４６がチェーンに吊設された際にバランスが崩れないよう、図１１に示すようにチェーン連結部１２３の位置を１２７に移動すると、台座１２５の角部１２１を支点として反り上がりが生じて宝石が上に向いてしまい、この場合には装飾片１４６の揺れが止まってしまうという問題もあった。
【０００７】
本発明はこのような従来技術の課題を解決し、微振動でも装飾片を前後左右に効果的に動かすことができるとともに、反り上がりによって宝石が上に向いてしまうことがないようにすることで、装飾片に取り付けられた宝石が最大限に美しく輝くことを可能とした装身具用ペンダントを提供することを目的とする。
【課題を解決するための手段】
【０００８】
本発明は上記課題を解決するための手段として、請求項１に記載された発明は、宝石が取り付けられた装飾片と、この装飾片を取り付ける装飾片取付部とチェーンが取り付けられるチェーン連結部とを備えた台座とを有する装身具用ペンダントにおいて、台座の装飾片取付部は装飾片を点接触にて支持する形状であることを特徴とする。請求項２に記載された発明は、請求項１に記載の装身具用ペンダントにおいて、装飾片は台座の装飾片取付部に取り付けられる輪環を備え、この輪環の内周面は前記台座の装飾片取付部と点接触される形状であることを特徴とする。
請求項３に記載された発明は、宝石が取り付けられた装飾片と、この装飾片を取り付ける装飾片取付部とチェーンが取り付けられるチェーン連結部とを備えた台座とを有する装身具用ペンダントにおいて、チェーン連結部はこれにチェーンを取り付けて装飾片を吊設した際にこの装飾片が下側に傾かない位置に形成され、前記チェーン連結部の中心から頂部の表面までの距離が、中心から上側の背面までの距離よりも長くなるように、頭部から上側の背面が所定の角度で傾斜された形状であることを特徴とする装身具用ペンダント。請求項４に記載された発明は、請求項３に記載の装身具用ペンダントにおいて、台座の装飾片取付部は前記装飾片を点接触にて支持する形状であることを特徴とする。請求項５に記載された発明は、宝石が取り付けられた装飾片と、この装飾片を取り付ける装飾片取付部を備えた台座とを有する装身具において、台座の装飾片取付部は前記装飾片を点接触で支持する形状であることを特徴とする。請求項６に記載された発明は、請求項５に記載の装身具において、装飾片は台座の装飾片取付部に取り付けられる輪環を備え、この輪環の内周面は台座の装飾片取付部と点接触される形状であることを特徴とする。
【発明の効果】
【０００９】
本発明による装身具用ペンダントによれば、微振動でも効果的に装飾片を揺らすことを可能とすることで宝石を最大限に美しく輝かせることができるとともに、反り上がりによって宝石が正面を向かなくなることを防止することができる。したがって、ペンダントを常に美しい状態で身に着けることができ、ペンダントそのものの商品価値を高めることが可能となる。
【発明を実施するための最良の形態】
【００１０】
以下、本発明による装身具用ペンダントの実施の形態を図面を用いて説明する。図１を参照すると本発明による装身具用ペンダントの実施の形態の斜視図が示されている。
【００１１】
装身具用ペンダント１は、例えば金、銀、プラチナ等の貴金属や真鍮等の金属を原料として形成された台座１０と、例えばダイヤモンド、エメラルド、ルビー等の貴石、半貴石、合成宝石からなる宝石４０を取り付けた装飾片３０と、この装飾片３０を胸元に吊るすために台座１０と同様の貴金属等を原材料として形成された鎖、皮革などの紐体からなるネックレス用チェーン５０とから構成されている。
【００１２】
装身具用ペンダント１の台座１０は、装着時に胸元に接する略楕円柱形状の基部１２と、これより前方斜め下方向に一体成型された装飾片３０が取り付けられる吊下部１８から成り、側面から見ると図２（Ａ）に示すように略鉤形である。台座１０はまた、ネックレス用チェーン５０を挿通するチェーン連結部１６が基部１２と吊下部１８の境界部分の上部に形成されている。吊下部１８の先端部２０には装飾片３０を取り付けるための吊下孔２２が形成されている。
【００１３】
吊下孔２２は装飾片３０を取り付けるための装飾片取付部であり、宝石４０を固定する係止環３６に取り付けられた輪環３２がこれに点接触で揺動可能に支持される。図２（Ｂ）は先端部２０を図２（Ａ）の一点鎖線Ｈ−Ｈで切断したときの部分断面図である。図２（Ｂ）に示すように先端部２０の吊下孔２２は内周中央が三角形状に隆起した突起部２４を備え、この突起部２４の頂点に輪環３２が点接触される。
【００１４】
図３は装飾片３０の正面図（Ａ）と、一点鎖線Ｊ−Ｊで切断したときの断面図（Ｂ）である。図２（Ｂ）に示すように、本実施の形態では輪環３２も先端部２０の吊下孔２２と同様に内周中央が三角形状に隆起した突起部３２ａを備えている。この突起部３２ａは、吊下孔２２の突起部２４と点接触されるとともに、係止環３６（宝石４０の周部に当接するリング部と宝石４０のテーブルに当接する爪部とから形成される。）の上部に形成された輪環３２が取り付けられる取付孔３７と点接触される。
【００１５】
このように本実施の形態による装身具用ペンダント１では、吊下孔２２および輪環３２にそれぞれ突起部２４と突起部３２ａが形成されているので、接触面積が非常に小さくなり互いの抵抗を最小限に抑えることが可能となる。したがって、ちょっとした微振動でも装飾片３０を大きくかつ長時間に亘って前後左右に揺らすことができる。その結果、宝石４０は理想的な光の反射を放つことができ、その美しさを十二分に引き出せるので、装身具用ペンダント１の商品価値を高めることができる。
【００１６】
図４は突起部２４および突起部３２ａの他の実施の形態を、リングの断面を図示することによって示したものである。図４（Ａ）に示したリング３３の突起部３３ａは三角形状の斜面３３ｂが直線ではなく内側に湾曲した円弧になっている例である。また、図４（Ｂ）に示したリング３５の突起部３５ａはその頂点３５ｂが僅かに平坦になっている例である。
【００１７】
図５は装身具用ペンダント１の側面図である。基部１２はその底部が宝石４０の中心であるセンタ４２より点線で示すようにやや上に位置する。基部１２はまた、背面上部が垂直方向から約３０度前後の角度θで前方に傾斜しており、これにより斜面１４が形成されている。この斜面１４を形成することにより、チェーン連結部１６の中心から上側背面、すなわち斜面１４までの距離ｘとチェーン連結部１６の中心から頂部の表面までの距離ｙ(例えば、y１やｙ２に示される距離であり、特に距離y１)との関係がｙ＞ｘとなるようにしている。
【００１８】
以下、斜面１４を形成して距離ｘと距離ｙとの関係をｙ＞ｘとすることの理由を説明する。図６（Ａ）は斜面１４を形成しないでチェーン連結部１６を背面の近くに設けたときの装身具用ネックレスの側面図である。この位置にチェーン連結部１６を設けてネックレス用チェーン５０で吊設すると、後述する反り上がりの頻度は減るが、図６（Ｂ）に示すように装飾片３０の重みで台座１０が斜め下に傾いてしまう。したがって、台座の背面が装着者の胸元にぴったり接しているときは良いが、そうでない場合には装飾片３０が垂れ下がってしまうので美観を損ねることになる。
【００１９】
このように台座１０が斜め下に傾かないようするため、チェーン連結部１６の位置を背面から水平方向に距離ｘ１まで移動したのが図７（Ａ）である。このときの背面までを距離ｘ１とするとその直角方向で吊り下げ部１８の頂部の表面までの距離ｙとの関係はｙ＜ｘ１となる。ところが、距離ｘ１より距離ｙの方が短いだけの場合、ネックレス用チェーン５０が体の動作により上方向に引っ張られると、上端の角１５が図７（Ｂ）に示すように胸元に係止されて簡単に反り上がってしまう。
【００２０】
このような反り上がりが生じると、図７（Ｂ）でも明らかなように装飾片３０が斜め上方向に向いてしまうとともに宝石４０を把持している係止環３６が基部１２に接触してしまうので、宝石４０が美しく光輝くことができないばかりでなく非常に不自然な装着状態になる。また、角１５が胸元に係止されているので自然に元に戻りずらいということもあった。
【００２１】
そこで本実施の形態では、図５に示すように距離ｘと距離ｙとの関係がｙ＞ｘとなるような傾きθの斜面１４を形成した。これにより、体を動かすことでネックレス用チェーン５０が上方向に引っ張られて台座１０が反り上がっても、装飾片３０が正面を向いた状態になるとともに基部１２にも接触しない。したがって、宝石４０が微細に揺動可能となり静止状態では得られない美しい反射光を放つことができる。また、図８の状態になっても、本実施の形態による台座１０を使用した装身具用ペンダント１の場合には、体を動かすことで自然に元に戻ることができるという利点もある。
【００２２】
なお、本実施の形態の説明の中で、図２〜図４に示した吊下孔２２または輪環３２,３３,３５の突起部の形状は特に装身具用ペンダントに限定されるものではなく、例えばイヤリング、ブローチ、指輪等の装身具にも適用可能である。
以上、本発明の一実施形態を図面により説明したが、この説明をもって本発明が限定されるわけではなく、本発明の精神を逸脱しない限り、種々の実施形態が構成できることはいうまでもない。
【図面の簡単な説明】
【００２３】
【図１】本発明による装身具用ペンダントの実施の形態を示す斜視図である。
【図２】図１に示した装身具用ペンダントの台座の側面図（Ａ）および正面図の部分断面図（Ｂ）である。
【図３】図１に示した装身具用ペンダントの装飾片の正面図（Ａ）および断面図（Ｂ）である。
【図４】吊下孔および輪環の内周の他の実施の形態を示した断面図である。
【図５】図１に示した装身具用ペンダントの反り上がり防止機能を説明するための側面図である。
【図６】チェーン連結部を基部上部に形成した場合の一例を示した側面図である。
【図７】チェーンで吊着したときにバランスが保てるようチェーン連結部を前方に移動したときの側面図（Ａ）と、そのときの問題点である反り上がり状態を示した装着図（Ｂ）である。
【図８】図１に示した装身具用ペンダントを装着して反り上がり状態になったときの装着図である。
【図９】従来技術における装身具用ペンダントの使用例を示した図である。
【図１０】従来技術における装身具用ペンダントの正面図である。
【図１１】従来技術における装身具用ペンダントの側面図である。
【符号の説明】
【００２４】
１    装身具用ペンダント
１０  台座
１２  基部
１４  斜面
１６  チェーン連結部
１８  吊下部
２０  先端部
２２  吊下孔
２４  突起部
３０  装飾片
３２  輪環
３３、３５  リング
３６  係止環
３７  取付孔
４０  宝石
５０  ネックレス用チェーン
【図１１】
2006223394.tif 000003
【図１】
2006223394.tif 000004
【図２】
2006223394.tif 000005
【図３】
2006223394.tif 000006
【図４】
2006223394.tif 000007
【図５】
2006223394.tif 000008
【図６】
2006223394.tif 000009
【図７】
2006223394.tif 000010
【図８】
2006223394.tif 000011
【図９】
2006223394.tif 000012
【図１０】
2006223394.tif 000013